(57)【要約】  車両用のショックアブソーバは、流体チャンバを画定する圧力チューブを含む。流体チャンバ内に配置されたピストンは、流体チャンバを上側作動チャンバと下側作動チャンバとに分割する。ピストンは、上側作動チャンバと下側作動チャンバとの間でピストンを貫通する圧縮路およびリバウンド路を画定する。弁ディスクアセンブリはピストンと係合して、上側作動チャンバと下側作動チャンバとの間の流体の流れを制御する。弁ディスクアセンブリは、実質的に非直線状の輪郭を有するオリフィスを画定するブリードディスクを含む。オリフィスは、ブリードディスクの外径部まで延び、上側作動チャンバと下側作動チャンバとの間でブリードチャネルを形成する。
2016518572.tif 000002
【特許請求の範囲】
【請求項１】
車両用のショックアブソーバであって、
流体チャンバを画定する圧力チューブと、
前記流体チャンバ内に配置され、前記流体チャンバを上側作動チャンバと下側作動チャンバとに分割し、圧縮路およびリバウンド路を画定するピストンであって、前記上側作動チャンバと前記下側作動チャンバとの間で、前記圧縮路および前記リバウンド路が貫通するピストンと、
前記ピストンと係合し、前記上側作動チャンバと前記下側作動チャンバとの間の流体の流れを制御する弁ディスクアセンブリであって、実質的に非直線状の輪郭を有するオリフィスを画定するブリードディスクを含み、前記実質的に非直線状の輪郭は、前記ブリードディスクの外径部まで延び、前記ブリードディスクの前記オリフィスは、前記上側作動チャンバと前記下側作動チャンバとの間でブリードチャネルを形成する、弁ディスクアセンブリと、
を含むショックアブソーバ。
【請求項２】
前記ブリードディスクの前記オリフィスは、流れ貯蔵器および絞り部分を有し、前記流れ貯蔵器は、前記ブリードディスクの内径部に近接して配置され、前記絞り部分は、前記外径部に近接して配置され、前記流れ貯蔵器および前記絞り部分は流体的に接続され、前記流れ貯蔵器の領域は、前記絞り部分の領域よりも大きい、請求項１に記載のショックアブソーバ。
【請求項３】
前記ブリードディスクの前記オリフィスは第１の部分、第２の部分、および第３の部分を有し、前記第２の部分は、前記第１の部分と前記第３の部分とを流体的に接続し、前記第２の部分は、前記第１の部分よりも小さく、かつ前記第３の部分よりも小さい領域を有する、請求項１に記載のショックアブソーバ。
【請求項４】
前記ブリードディスクの前記オリフィスは、実質的に丸い形状を有する第１の部分と、実質的に砂時計の形状を有する第２の部分とを有し、前記第２の部分は、一端で前記第１の部分に流体的に接続され、前記第１の部分とは反対側の他端で出口を形成し、前記第１の部分は、前記第２の部分よりも大きい領域を有する、請求項１に記載のショックアブソーバ。
【請求項５】
前記ブリードディスクは複数の前記オリフィスを含む、請求項１に記載のショックアブソーバ。
【請求項６】
前記ブリードディスクの前記オリフィスは、流れ貯蔵器および絞り部分を有し、前記流れ貯蔵器と前記絞り部分とは流体的に接続され、前記絞り部分の長さは、前記絞り部分の幅よりも小さく、前記流れ貯蔵器の領域は、前記絞り部分の領域よりも大きい、請求項１に記載のショックアブソーバ。
【請求項７】
前記ブリードディスクの前記オリフィスは、前記絞り部分によって前記流れ貯蔵器に流体的に接続された出口を有し、前記出口は、前記ブリードディスクの前記外径部まで延び、前記出口の領域は、前記絞り部分の前記領域よりも大きい、請求項６に記載のショックアブソーバ。
【請求項８】
前記弁ディスクアセンブリは複数のディスクを含み、前記ブリードディスクは、前記複数のディスクに含まれる、請求項１に記載のショックアブソーバ。
【請求項９】
前記圧縮路と前記上側作動チャンバとの間で前記流体の流れを制御する圧縮弁アセンブリであって、下側作動の前記流体から受ける圧力に応じて、前記圧縮路を開く圧縮弁アセンブリと、
前記リバウンド路と前記下側作動チャンバとの間で前記流体の流れを制御するリバウンド弁アセンブリであって、前記上側作動チャンバの前記流体から受ける圧力に応じて、前記リバウンド路を開くリバウンド弁アセンブリと、
をさらに含む、請求項１に記載のショックアブソーバ。
【請求項１０】
前記圧縮弁アセンブリおよび前記リバウンド弁アセンブリはそれぞれ、前記弁ディスクアセンブリを含み、
前記圧縮弁アセンブリの前記弁ディスクアセンブリは、前記圧縮路と前記上側作動チャンバとの間に前記ブリードチャネルを形成し、
前記リバウンド弁アセンブリの前記弁ディスクアセンブリは、前記リバウンド路と前記下側作動チャンバとの間に前記ブリードチャネルを形成する、請求項９に記載のショックアブソーバ。
【請求項１１】
車両用のショックアブソーバであって、
流体チャンバを画定する圧力チューブと、
前記流体チャンバ内に配置され、前記流体チャンバを上側作動チャンバと下側作動チャンバとに分割し、圧縮路およびリバウンド路を画定するピストンであって、前記上側作動チャンバと前記下側作動チャンバとの間で、前記圧縮路および前記リバウンド路が貫通するピストンと、
前記ピストンと係合する圧縮弁アセンブリであって、前記圧縮路を通る流体の流れを制御する圧縮弁アセンブリと、
前記ピストンと係合して、前記リバウンド路を通る前記流体の流れを制御し、弁ディスクアセンブリを含むリバウンド弁アセンブリであって、前記弁ディスクアセンブリは、前記リバウンド路と前記下側作動チャンバとを流体的に接続するオリフィスを画定するブリードディスクを含み、前記オリフィスは、前記ブリードディスクの外径部まで延び、前記外径部よりも前に配置された絞り部分を有する実質的に非直線状の輪郭を有する、リバウンド弁アセンブリと、
を含むショックアブソーバ。
【請求項１２】
前記絞り部分の長さは、前記絞り部分の幅よりも小さい、請求項１１に記載のショックアブソーバ。
【請求項１３】
前記ブリードディスクは複数の前記オリフィスを含む、請求項１１に記載のショックアブソーバ。
【請求項１４】
前記ブリードディスクの前記オリフィスは、前記絞り部分によって流体的に接続された第１の部分と第２の部分とを有し、前記絞り部分は、前記第１の部分よりも小さく、かつ第３の部分よりも小さい、請求項１１に記載のショックアブソーバ。
【請求項１５】
前記ブリードディスクの前記オリフィスは、前記ブリードディスクの内径部に近接して配置された流れ貯蔵器を有し、前記絞り部分は、前記ブリードディスクの前記外径部において画定された出口と、前記流れ貯蔵器に流体的に接続された入り口とを有し、前記絞り部分の領域は、前記流れ貯蔵器の領域よりも小さい、請求項１１に記載のショックアブソーバ。
【請求項１６】
前記ブリードディスクの前記オリフィスは、実質的に丸い形状を有する第１の部分を有し、前記絞り部分は、実質的に砂時計の形状を有し、前記絞り部分は、一端で前記第１の部分に流体的に接続され、前記第１の部分とは反対側の他端で出口を形成する、請求項１１に記載のショックアブソーバ。
【請求項１７】
前記リバウンド弁アセンブリの前記弁ディスクアセンブリは複数のディスクを含み、前記ブリードディスクは、前記複数のディスクに含まれる、請求項１１に記載のショックアブソーバ。
【請求項１８】
前記圧縮弁アセンブリは、第２の弁ディスクアセンブリを含み、前記第２の弁ディスクアセンブリは、前記圧縮路と前記上側作動チャンバとを流体的に接続するオリフィスを画定するブリードディスクを含み、前記オリフィスは、前記ブリードディスクの外径部まで延び、前記外径部よりも前に配置された絞り部分を有する実質的に非直線状の輪郭を有する、請求項１１に記載のショックアブソーバ。
【請求項１９】
車両用のショックアブソーバであって、
流体チャンバを画定する圧力チューブと、
前記流体チャンバ内に配置され、前記流体チャンバを上側作動チャンバと下側作動チャンバとに分割し、第１の圧縮路および第１のリバウンド路を画定するピストンであって、前記上側作動チャンバと前記下側作動チャンバとの間で、前記第１の圧縮路および前記第１のリバウンド路が貫通するピストンと、
前記ピストンと係合する第１の圧縮弁アセンブリであって、前記第１の圧縮路を通る流体の流れを制御する第１の圧縮弁アセンブリと、
前記ピストンと係合して、前記第１のリバウンド路を通る前記流体の流れを制御し、第１の弁ディスクアセンブリを含む第１のリバウンド弁アセンブリであって、前記第１の弁ディスクアセンブリは、前記リバウンド路と前記下側作動チャンバとを流体的に接続するオリフィスを画定するブリードディスクを含み、前記オリフィスは、前記ブリードディスクの外径部まで延び、前記外径部よりも前に配置された絞り部分を有する実質的に非直線状の輪郭を有する、第１のリバウンド弁アセンブリと、
前記圧力チューブを囲む貯蔵チューブであって、前記圧力チューブと共に貯蔵器チャンバを画定する貯蔵チューブと、
第２の圧縮路および第２のリバウンド路を画定する弁本体であって、前記下側作動チャンバと前記貯蔵器チャンバとの間で、前記第２の圧縮路および前記第２のリバウンド路が貫通する弁本体と、
前記弁本体と係合して、前記第２の圧縮路を通る前記流体の流れを制御し、第２の弁ディスクアセンブリを含む第２の圧縮弁アセンブリであって、前記第２の弁ディスクアセンブリは、前記第２の圧縮路と前記貯蔵器チャンバとを流体的に接続するオリフィスを画定するブリードディスクを含み、前記オリフィスは、前記ブリードディスクの外径部まで延び、前記外径部よりも前に配置された絞り部分を有する実質的に非直線状の輪郭を有する、第２の圧縮弁アセンブリと、
前記弁本体と係合する第２のリバウンド弁アセンブリであって、前記第２のリバウンド路を通る前記流体の流れを制御する第２のリバウンド弁アセンブリと、
を含むショックアブソーバ。
【請求項２０】
前記第１の弁ディスクアセンブリおよび前記第２の弁ディスクアセンブリの前記ブリードディスクの前記オリフィスはそれぞれ、前記ブリードディスクの内径部に近接して配置された流れ貯蔵器を有し、前記流れ貯蔵器は、前記絞り部分に流体的に接続され、前記流れ貯蔵器の領域は、前記絞り部分の領域よりも大きい、請求項１９に記載のショックアブソーバ。
【請求項２１】
前記ブリードディスクの前記オリフィスは、前記絞り部分によって、前記流れ貯蔵器に流体的に接続された出口を有し、前記出口は、前記ブリードディスクの前記外径部まで延び、前記出口の領域は、前記絞り部分の領域よりも大きい、請求項１９に記載のショックアブソーバ。
【請求項２２】
前記第１の弁ディスクアセンブリおよび前記第２の弁ディスクアセンブリの前記ブリードディスクに関して、前記絞り部分の長さは、前記絞り部分の幅よりも小さい、請求項１９に記載のショックアブソーバ。
【発明の詳細な説明】
【技術分野】
【０００１】
関連出願の相互参照
本願は、２０１４年５月１２日に出願された米国実用新案出願第１４／２７５，２３５号明細書に対する優先権を主張し、さらに、２０１３年５月１３日に出願された米国仮特許出願第６１／８２２，４９４号明細書の利益を主張するものである。上記出願の全開示は、参照により、本明細書に援用される。
【０００２】
本開示は、ダンパまたはショックアブソーバに関する。より詳細には、本発明は、特に、油圧油の流通が少ないときに、ショックアブソーバの制振特性を制御するためのオリフィスディスクに関する。
【背景技術】
【０００３】
このセクションでは、必ずしも先行技術ではない、本開示に関連する背景技術が提示される。
【０００４】
ショックアブソーバは、サスペンションシステムの動作中に発生する望ましくない振動を吸収するために、自動車のサスペンションシステムおよび他のサスペンションシステムと共に使用される。これらの望ましくない振動を吸収するために、自動車用ショックアブソーバは、通常、車両のばね上（ボディ）質量とばね下（サスペンション／シャーシ）質量との間に連結される。
【０００５】
様々な車両性能特性に対する所望の制振力を発生させるために、様々なタイプのショックアブソーバが開発された。例えば、ショックアブソーバの圧力チューブ内に配置されたピストンは、ピストンロッドによって、自動車のばね上部分に連結され、圧力チューブは、自動車のばね下部分に連結される。ピストンは、ピストンの両側間の流体の流れを弁によって制限することができる。具体的には、ショックアブソーバが伸縮するときに、ショックアブソーバは制振力を発生させることができ、この制振力は、本来であれば自動車のばね下部分からばね上部分に伝達されるであろう望ましくない振動を抑制する。
【０００６】
別の例では、二重チューブショックアブソーバは、圧力チューブと貯蔵器チューブとの間に画定された流体貯蔵器を有する。下側作動チャンバ（ピストンの下の領域）と貯蔵器との間に配置されたベース弁は、下側作動チャンバと貯蔵器との間の流体の流れを制限して、やはり、望ましくない振動を抑制する制振力を発生させる。ショックアブソーバ内の流体の流れがピストンおよび／またはベース弁から受ける制限度が高くなるほど、ショックアブソーバが発生させる制振力は大きくなる。したがって、流体の流れを強く制限することで堅い乗り心地になり、一方、流体の流れの制限を弱くすることで柔らかい乗り心地になる。
【０００７】
圧力降下と流速との指数関数的な関係により、比較的低いピストン速度、特に、ほぼゼロの速度で制振力を達成し、一方で、それでもなお、比較的高いピストン速度で許容可能な制振力を維持することは困難である。ほとんどの車両のハンドリング事象は、結果として比較的低速のピストン速度になる、比較的低速の車体速度に従って制御されるため、低速での制振力は、車両のハンドリングにとって重要である。
【０００８】
ピストンの低速動作時に、ショックアブソーバを調整する様々なシステムは、ピストンおよび／またはベース弁に交差して常に開いた、固定された低速用ブリードオリフィスを含む。ブリードオリフィスは、例えば、シールランドに隣接した可撓性ディスクに配置された切欠きを利用して形成することができる。低速制御を行うために、切欠きは、比較的低速度で制限を行う程度に狭くする必要がある。これが達成されると、低速の弁システムでの流体流れは、非常に狭い速度範囲にわたって作動する。
【０００９】
流体の温度が昇降するときに、流体の粘度も変化する。例えば、流体の粘度は、低温でより高く（粘稠流体）、高温で低い（希薄流体）。したがって、高温においては、直線状のチャネルを有するブリードオリフィスは、流体流れを制限することができず、低温においては、流体により、ディスクが早すぎる時点で撓み、それにより、低ピストン速度でのショックアブソーバの制振特性が影響を受ける。
【発明の概要】
【課題を解決するための手段】
【００１０】
このセクションは、本開示の全体的な概要を提示しており、最大範囲の、またはすべての特徴部の包括的な開示ではない。本開示は、低ピストン速度時に、上側作動チャンバと下側作動チャンバとの間の流体流れを制限するブリードディスクに関する。特に、本開示は、車両用のショックアブソーバに関する。ショックアブソーバは、ブリードディスクを含む弁ディスクアセンブリを含む。ブリードディスクは、領域が異なる複数の部分を形成する、実質的に非直線状の輪郭を有するオリフィスを画定する。オリフィスは、ブリードディスクの外径部まで延びる。弁ディスクアセンブリは、上側作動チャンバと下側作動チャンバとの間の流路を実質的に閉じるが、ブリードディスクのオリフィスは、ブリードチャネルを形成し、制限された量の流体が、このブリードチャネルを通って、上側作動チャンバと下側作動チャンバとの間を流れることができる。
【００１１】
本明細書に提示された説明から、さらなる適用領域が明らかになるであろう。この概要における説明および特定の例は、単に例示することを意図され、本開示の範囲を限定することを意図されたものではない。
【００１２】
本明細書で説明される図面は、選択された実施形態を例示することのみを目的とし、すべての可能な実施例ではなく、本開示の範囲を限定することを意図されていない。
【図面の簡単な説明】
【００１３】
【図１】少なくとも１つのショックアブソーバを内蔵した典型的な自動車の概略図である。
【図２】二重チューブ構成を有する例示的なショックアブソーバの側断面図である。
【図３Ａ】図２のショックアブソーバ用の例示的なピストンアセンブリの拡大断面図である。
【図３Ｂ】図３Ａの３Ｂで囲まれた弁ディスクアセンブリの拡大断面図である。
【図４】例示的なベース弁アセンブリの拡大断面図である。
【図５】単一チューブ構成を有する例示的なショックアブソーバの側断面図である。
【図６】図５のショックアブソーバ用の例示的なピストンアセンブリの拡大断面図である。
【図７】例示的な弁ディスクアセンブリの斜視図である。
【図８】弁ディスクアセンブリ用の例示的なブリードディスクの斜視図である。
【図９】図８のブリードディスクの平面図である。
【図１０Ａ】図９の１０Ａで囲まれたブリードディスクのオリフィスの拡大図である。
【図１０Ｂ】図１０Ａの１０Ｂで囲まれたオリフィスの絞り部分の拡大図である。
【図１１Ａ】ブリードディスク用のオリフィスの複数の例である。
【図１１Ｂ】ブリードディスク用のオリフィスの複数の例である。
【図１１Ｃ】ブリードディスク用のオリフィスの複数の例である。
【図１１Ｄ】ブリードディスク用のオリフィスの複数の例である。
【図１２Ａ】ブリードディスクの外径部に絞り部分を有するブリードディスク用のオリフィスの例である。
【図１２Ｂ】ブリードディスクの外径部に絞り部分を有するブリードディスク用のオリフィスの例である。
【図１３】ブリードディスクの外径部まで延びる絞り部分を有するブリードディスク用のオリフィスの例である。
【発明を実施するための形態】
【００１４】
対応する参照番号は、図面の各図全体にわたって対応する部分を示している。
【００１５】
添付の図面を参照して、例示的な実施形態が以下にさらに完全に説明される。以下の説明は、実際上、単なる例示であり、本開示、用途、または使用法を限定することを意図されていない。図１を参照すると、本開示によるブリードディスクを有するショックアブソーバを含むサスペンションシステムを内蔵した車両１０が提示されている。車両１０は、フロントおよびリアアクスルアセンブリを有する乗用車として図示されている。しかし、本開示によるショックアブソーバは、他のタイプの車両と共に、または他のタイプの用途で使用することができる。これらの代替となる構成の例として、それらに限定されるものではないが、非独立型フロントおよび／または非独立型リアサスペンションを内蔵した車両、独立型フロントおよび／または独立型リアサスペンションを内蔵した車両、あるいは当技術分野で公知の他のサスペンションシステムがある。さらに、本明細書で使用する「ショックアブソーバ」という用語は、一般にダンパを指すことを意図され、したがって、ストラットおよび当技術分野で公知の他のダンパ構造を含む。
【００１６】
車両１０は、リアサスペンション１２、フロントサスペンション１４、およびボディ１６を含む。リアサスペンション１２は、リアホイール１８を動作可能に支持するように構成された、横方向に延びるリアアクスルアセンブリ（図示せず）を有する。リアアクスルアセンブリは、１対のショックアブソーバ２０および１対のばね２２によって、ボディ１６に動作可能に連結されている。同様に、フロントサスペンション１４は、フロントホイール２４を動作可能に支持する、横方向に延びるフロントアクスルアセンブリ（図示せず）を有する。フロントアクスルアセンブリは、１対のショックアブソーバ２６および１対のばね２８によって、ボディ１６に動作可能に連結されている。ショックアブソーバ２０および２６は、車両１０のばね下部分（すなわち、それぞれフロントサスペンション１４およびリアサスペンション１２）およびばね上部分（すなわち、ボディ１６）の相対運動を弱めるように機能する。
【００１７】
図２は、ショックアブソーバ２０の例を示している。図２は、ショックアブソーバ２０のみを示しているが、ショックアブソーバ２６は、ショックアブソーバ２０とほぼ同様であるであることが理解される。ショックアブソーバ２６は、車両１０のばね上およびばね下質量に連結されるように構成される方法のみが、ショックアブソーバ２０と異なる。ショックアブソーバ２０は、圧力チューブ３０、ピストンアセンブリ３２、ピストンロッド３４、貯蔵チューブ３６、およびベース弁アセンブリ３８を含む。
【００１８】
圧力チューブ３０は、流体チャンバ４０を画定する。ピストンアセンブリ３２は、圧力チューブ３０内にスライド可能に配置され、流体チャンバ４０を上側作動チャンバ４２と下側作動チャンバ４４とに分割している。ピストンロッド３４は、ピストンアセンブリ３２に取り付けられ、上側作動チャンバ４２と、圧力チューブ３０の上端を閉じる上端キャップ４８とを貫通している。ピストンアセンブリ３２とは反対側のピストンロッド３４の端部は、上記のように、車両１０のばね上部分に固定されるように構成されている。ピストンアセンブリ３２内の弁は、圧力チューブ３０内でのピストンアセンブリ３２の移動中に、上側作動チャンバ４２と下側作動チャンバ４４との間の流体の移動を制御する。
【００１９】
貯蔵チューブ３６は、圧力チューブ３０と貯蔵チューブ３６との間に配置された流体貯蔵器チャンバ５０を画定するように圧力チューブ３０を囲んでいる。貯蔵チューブ３６の底端部は、車両１０のばね下質量に連結されるように構成されたベースカップ５２によって閉じられている。ベース弁アセンブリ３８は、チャンバ４４および５０間の流体の流れを制御するために、下側作動チャンバ４４と貯蔵器チャンバ５０との間に配置されている。
【００２０】
図３Ａおよび図３Ｂを参照すると、ピストンアセンブリ３２の例が提示されている。ピストンアセンブリ３２は、ピストン本体６０、圧縮弁アセンブリ６２、およびリバウンド弁アセンブリ６４を含む。ピストン本体６０は、圧縮弁アセンブリ６２に当てて組み付けられ、リバウンド弁アセンブリ６４は、ピストン本体６０に当てて組み付けられる。ナット６８は、これらの構成要素をピストンロッド３４に固定している。
【００２１】
ピストン本体６０は、複数の圧縮路７０および複数のリバウンド路７２を画定する。圧縮路７０およびリバウンド路７２は、ピストン本体６０を貫通している。圧縮弁アセンブリ６２は、保持器７４、弁ディスク７６、およびばね７８を含む。保持器７４は本体６０に当接している。弁ディスク７６は、ピストン本体６０に当接し、リバウンド路７２を開いた状態にしながら、圧縮路７０を閉じている。ばね７８は、弁ディスク７６をピストン本体６０に付勢するように、保持器７４と弁ディスク７６との間に配置されている。
【００２２】
圧縮ストローク時、下側作動チャンバ４４内の流体は加圧されて、流体圧力が弁ディスク７６に作用する。弁ディスク７６にかかる流体圧力が、ばね７８の付勢負荷に打ち勝つと、弁ディスク７６は、ピストン本体６０から離れて圧縮路７０を開き、下側作動チャンバ４４から上側作動チャンバ４２への流体流れを可能にする。リバウンドストローク時、圧縮路７０は、弁ディスク７６によって閉じられる。
【００２３】
リバウンド弁アセンブリ６４は、スペーサ８０、弁ディスクアセンブリ８２、保持器８４、およびばね８６を含む。スペーサ８０は、ピストン本体６０とナット６８との間に配置されている。スペーサ８０は、弁ディスク７６も弁ディスクアセンブリ８２もどちらも圧縮することなく、ナット６８を締め付けることを可能にしながら、ピストン本体６０および圧縮弁アセンブリ６２を保持している。弁ディスクアセンブリ８２は、スペーサ８０にスライド可能に受け止められ、ピストン本体６０に当接している。弁ディスクアセンブリ８２は、圧縮路７０を開いた状態にしながら、リバウンド路７２を実質的に閉じている。保持器７４もスペーサ８０にスライド可能に受け止められ、弁ディスクアセンブリ８２に当接している。弁ディスクアセンブリ８２は、少なくとも１つがブリードディスク９０である複数のディスク８８を含む（図３Ｂおよび図５）。ブリードディスク９０は、限定された量のブリード流れが、リバウンド弁アセンブリ６４を迂回するのを可能にする。
【００２４】
リバウンドストローク時、上側作動チャンバ４２内の流体は加圧されて、流体圧力が弁ディスクアセンブリ８２に作用する。弁ディスクアセンブリ８２に作用する流体圧力が、弁ディスクアセンブリ８２の曲げ負荷に打ち勝つと、弁ディスクアセンブリ８２は弾性的に撓んでリバウンド路７２を開き、上側作動チャンバ４２から下側作動チャンバ４４への流体流れを可能にする。低ピストン速度での制振を可能にするために、弁ディスクアセンブリ８２が撓む前に、制御された量の流体が、上側作動チャンバ４２からブリードディスク９０を通って、下側作動チャンバ４４に流れる。
【００２５】
図４を参照すると、ベース弁アセンブリ３８の例が提示されている。ベース弁アセンブリ３８は、弁本体９２、圧縮弁アセンブリ９４、およびリバウンド弁アセンブリ９６を含む。弁本体９２は、複数の圧縮路９８および複数のリバウンド路１００を画定する。
【００２６】
圧縮弁アセンブリ９４は、弁ディスクアセンブリ１０２を含む。弁ディスクアセンブリ１０２は複数のディスクを含み、そのディスクの少なくとも１つは、限定された量のブリード流れが圧縮弁アセンブリ９４を迂回するのを可能にするブリードディスク９０とすることができる。流体圧力が弁ディスクアセンブリに加えられると、ディスクは、外縁部で弾性的に撓んで、圧縮弁アセンブリ９４を開く。
【００２７】
圧縮ストローク時、下側作動チャンバ４４内の流体は加圧され、圧縮路９８内の流体圧力により、弁ディスクアセンブリ１０２が撓んで、最終的に圧縮弁アセンブリ９４が開く。ピストンアセンブリ３２の圧縮弁アセンブリ９４は、下側作動チャンバ４４から貯蔵器チャンバ５０への流体流れを可能にする。低ピストン速度での制振を可能にするために、弁ディスクアセンブリ１０２が撓む前に、制御された量の流体が、下側作動チャンバ４４からブリードディスク９０を通って、貯蔵器チャンバ５０に流れる。
【００２８】
リバウンド弁アセンブリ９６は、弁ディスク１０４および弁ばね１０６を含む。弁ディスク１０４は弁本体９２に当接し、リバウンド路１００を閉じている。弁ばね１０６は、弁ディスク１０４を弁本体９２に付勢している。リバウンドストローク時、下側作動チャンバ４４内の流体は圧力が降下して、貯蔵器チャンバ５０内の流体圧力が、弁ディスク１０４に作用する。弁ディスク１０４にかかる流体圧力が、弁ばね１０６の付勢負荷に打ち勝つと、弁ディスク１０４は、弁本体９２から離れてリバウンド路１００を開き、貯蔵器チャンバ５０から下側作動チャンバ４４への流体流れを可能にする。
【００２９】
ショックアブソーバ２０の圧縮ストローク時、制振特性は、圧縮弁アセンブリ６２、および／または下側作動チャンバ４４から貯蔵器チャンバ５０への流体流れに対処する圧縮弁アセンブリ９４によって制御することができる。リバウンドストローク時、制振特性は、リバウンド弁アセンブリ６４および／またはリバウンド弁アセンブリ９６によって制御することができる。低ピストン速度において、ショックアブソーバの制振特性は、弁ディスクアセンブリ８２および／または弁ディスクアセンブリ１０２に設けられたブリードディスク９０によって制御される。
【００３０】
例示的な実施形態では、ショックアブソーバ２０は、二重チューブショックアブソーバとして図示されている。あるいは、ショックアブソーバは、単一チューブショックアブソーバ、三重チューブショックアブソーバ、または当技術分野で公知の他の任意で適切なショックアブソーバなどの他のタイプのショックアブソーバとすることができる。例えば、図５〜６は、車両１０で使用できる単一チューブ構成を有するショックアブソーバ１１０の例を示している。ショックアブソーバ２０と同様に、ショックアブソーバ１１０は、圧力チューブ１１２、ピストンアセンブリ１１４、およびピストンロッド１１６を含む。
【００３１】
圧力チューブ１１２は、流体チャンバ１１８を画定する。ピストンアセンブリ１１４は、圧力チューブ１１２内にスライド可能に配置され、流体チャンバ１１８を上側作動チャンバ１２０と下側作動チャンバ１２２とに分割している。ピストンアセンブリ１１４内の弁は、圧力チューブ１１２内でのピストンアセンブリ１１４の移動中に、上側作動チャンバ１２０と下側作動チャンバ１２２との間の流体の移動を制御する。
【００３２】
図６に示すように、ピストンアセンブリ１１４は、圧縮弁アセンブリ１２４、ピストン本体１２６、およびリバウンド弁アセンブリ１２８を含むことができる。ピストンアセンブリ１０４は、圧縮弁アセンブリ１２４が、ピストンロッド１１６のショルダ部に当接し、ピストン本体１２６が、圧縮弁アセンブリ１２４に当接し、リバウンド弁アセンブリ１２８が、ピストン本体１２６に当接するように、ピストンロッド１０８上に配置されている。
【００３３】
圧縮弁アセンブリ１２４は、保持器１３０、１対のスペーサ１３２、および弁ディスクアセンブリ１３４を含む。同様に、リバウンド弁アセンブリは、保持器１３０、１対のスペーサ１３２、および弁ディスクアセンブリ１３４を含む。したがって、ピストンアセンブリ１１４は、ピストン本体１２６の両側に弁ディスクアセンブリ１３４を含む。弁ディスクアセンブリ８２と同様に、弁ディスクアセンブリ１３４は、本明細書で説明したように、少なくとも１つのブリードディスク９０を含む複数のディスク８８を含む。
【００３４】
ピストン本体１２６は、複数の圧縮路１３６および複数のリバウンド路１３８を画定する。圧縮路１３６およびリバウンド路１３８は、ピストン本体１２６を貫通している。圧縮弁アセンブリ１２４の弁ディスクアセンブリ１３４は圧縮路１３６を閉じ、リバウンド路１３８を開いた状態に保っている。リバウンド弁アセンブリ１２８の弁ディスクアセンブリ１３４はリバウンド路１３８を閉じ、圧縮路１３６を開いた状態に保っている。
【００３５】
圧縮ストローク時、下側作動チャンバ１２２内の流体は加圧され、圧縮路１３６内の流体圧力により、弁ディスクアセンブリ１３４が撓んで、最終的に圧縮弁アセンブリ１２４が開く。したがって、流体は、圧縮路１３６を通って、上側作動チャンバ１２０に流入する。リバウンド路１３８を通る流体流れは、シールランド１４０に対接して封止するリバウンド弁アセンブリ１２８の弁ディスクアセンブリ１３４によって阻止される。低ピストン速度での制振を可能にするために、圧縮弁アセンブリ１２４の弁ディスクアセンブリ１３４が撓む前に、制御された量の流体が、下側作動チャンバ１２２からブリードディスク９０を通って、上側作動チャンバ１２０に流れる。
【００３６】
リバウンドストローク時、上側作動チャンバ１２０内の流体は加圧され、リバウンド路１３８内の流体圧力により、弁ディスクアセンブリ１３４が撓んで、最終的にリバウンド弁アセンブリ１２８が開く。したがって、流体は、リバウンド路１３８を通って、下側作動チャンバ１２２に流入する。圧縮路１３６を通る流体流れは、シールランド１４２に対接して封止する圧縮弁アセンブリ１２４の弁ディスクアセンブリ１３４によって阻止される。低ピストン速度での制振を可能にするために、リバウンド弁アセンブリ１２８の弁ディスクアセンブリ１３４が撓む前に、制御された量の流体が、上側作動チャンバ１２０からブリードディスク９０を通って、下側作動チャンバ１２２に流れる。
【００３７】
図７は、ブリードディスク９０を有する複数のディスク８８の例を示している。複数のディスク８８は、貯蔵器ディスク１５０およびベースディスク１５２も含むことができる。貯蔵器ディスク１５０は、１つまたは複数の開孔１５４を画定する。開孔１５４は、貯蔵器ディスク１５０の内径部に接近して配置することができる。ブリードディスク９０は、貯蔵器ディスク１５０とベースディスク１５２との間に配置することができる。ベースディスク１５２は、ブリードディスク９０を完全に覆う。本明細書の弁ディスクアセンブリ（８２、１０２、１３４）は、様々な数量のディスクおよび様々なタイプのブリードディスクを有し得ることが理解される。例えば、ピストンアセンブリ用の弁ディスクアセンブリは、ベース弁アセンブリ用の弁ディスクアセンブリと異なってもよい。
【００３８】
図８〜１０Ｂは、ブリードディスク９０の例を示している。ブリードディスク９０は、１つまたは複数のオリフィス２０２を画定する。オリフィス２００は、領域が異なる複数の部分または区画を備えた、実質的に非直線状の輪郭を有する。例えば、オリフィス２００は、流れ貯蔵器２０４、ブリードチャネル２０６、および出口２０８を有することができる。オリフィス２００は、内径部２１０に接近した位置から外径部２１２まで延びている。流れ貯蔵器２０４は、ブリードディスク９０の内径部２１０に接近して形成されている。組み立てた状態では、ブリードディスク９０の流れ貯蔵器２０４は、貯蔵器ディスク１５０の開孔１５４と整列する。ピストンを通る流体流れは開孔１５４に入り、流体貯蔵器２０４に集まる。
【００３９】
ブリードチャネル２０６は、流れ貯蔵器２０４と出口２０８とを流体的に接続する。図１０Ａに示すように、ブリードチャネル２０６は、入り口部分２１３、絞り部分２１４、および出口部分２１５を有することができる。入り口部分２１３は、流れ貯蔵器２０４と絞り部分２１４とをつないでいる。出口部分２１５は、絞り部分２１４と出口２０８とをつないでいる。入り口部分２１３および出口部分２１５は、絞り部分２１４に向かって漸進的に狭くなり、それにより、砂時計形状のブリードチャネル２０６を形成する先細りの開孔を有する。絞り部分２１４は、流れ貯蔵器２０４から出口２０８への流体の流れを制限する幅２１６および長さ２１８を有する（図１０Ｂ）。出口２０８は、絞り部分２１４からブリードディスク９０の外径部２１２まで延びている。オリフィス２００の流れ貯蔵器２０４、ブリードチャネル２０６、および出口２０８は、内径部２１０に接近した位置から外径部２１２まで延びる、変化する流れ領域を形成している。特に、オリフィス２００は、流体の流れを制御するノズル構造を有する。流体が流れ貯蔵器２０４に集まると、流体はブリードチャネル２０６を流れる。流体貯蔵器２０４および出口２０８は、絞り部分２１４よりも大きい領域を有する。したがって、流体が流れ貯蔵器２０４からブリードチャネル２０６に流入すると、流体の圧力は、領域の縮小により高くなる。したがって、絞り部分２１４に流入した流体の速度を低下させることができる。さらに、流体が絞り部分２１４から出口２０８に流入すると、流体の圧力は低くなり、それにより、流体の速度が上がる。特に、流体は、高圧の領域（すなわち、絞り部分２１４）から低圧の領域（すなわち、出口２０８）に流れる。絞り部分２１４で生じた圧力は、流体を出口２０８に押し出す。
【００４０】
絞り部分２１４は、流体がブリードチャネル２０６を流れるときに、流体の速度の変化が、圧力の変化によるものであるように構成されている。流体が絞り部分２１４を流れるときに、圧力の上昇に加えて、流体の温度も上昇することができる。したがって、絞り部分２１４の長さは、流体の温度の上昇を少なくするように最小限にされる。具体的には、絞り部分２１４の幅２１６は、絞り部分２１４の長さ２１８よりも長い。さらに、流体は出口２０８を流れ、この出口２０８は、絞り部分２１４よりも大きい幅を有し、したがって、流体がより大きい領域に拡散するのを可能にし、それにより、流体を冷却する。
【００４１】
低ピストン速度時に、ブリードチャネル２０６の輪郭により、ショックアブソーバの制振特性が制御される。特に、ブリードチャネル２０６の絞り部分２１４は、オリフィス２００を流れる流体の量を制限する。例えば、絞り部分２１４の幅２１６、絞り部分２１４の長さ２１８、入り口部分２１３の角度、出口部分２１５の角度、およびブリードディスク９０の厚さは、低ピストン速度時に、ショックアブソーバの制振特性を最適化するように調整することができる。つまり、ブリードディスクのオリフィスは、ショックアブソーバの所望の制振特性に基づいて調整することができる。
【００４２】
図８および図９は、４つのオリフィス２０２を含むとして、ブリードディスク９０を示しているが、ブリードディスク９０は、１つまたは複数のオリフィス２０２を有することができる。さらに、弁ディスクアセンブリは、４つ以上のディスク８８を含むことができ、ディスク８８の少なくとも１つはブリードディスクである。
【００４３】
オリフィス２００の形状は変えることもできる。例えば、図１１Ａ〜１１Ｄは、様々なタイプのオリフィスを示している。図１１Ａは、流れ貯蔵器２５２、絞り部分２５６を備えたブリードチャネル２５４、および出口２５８を含むオリフィス２５０を示している。流れ貯蔵器２５２は涙滴形状を有し、出口２０８の輪郭は湾曲した形状を有する。
【００４４】
図１１Ｂは、流れ貯蔵器３０２、絞り部分３０６を備えたブリードチャネル３０４、および出口３０８を含むオリフィス３００を示している。流れ貯蔵器３０２は、ハート状の形状を有し、出口３０８の輪郭は、「Ｖ字」状の形状または先細りの直線形状を有する。
【００４５】
図１１Ｃは、流れ貯蔵器３５２、絞り部分３５６を備えたブリードチャネル３５４、および出口３５８を含むオリフィス３５０を示している。流れ貯蔵器３５２は、円形の形状を有し、出口３５８の輪郭は、「Ｖ字」状の形状または先細りの直線形状を有する。
【００４６】
図１１Ｄは、流れ貯蔵器４０２、絞り部分４０６を備えたブリードチャネル４０４、および出口４０８を含むオリフィス４００を示している。流れ貯蔵器４０２は、図１１Ａと同様の涙滴形状を有し、出口４０８の輪郭は、「Ｖ字」状の形状または先細りの直線形状を有する。
【００４７】
図８〜１０のオリフィス２００と同様に、オリフィス（２５０、３００、３５０、４００）は、領域が変化する輪郭を有する。図１１Ａ〜１１Ｄのオリフィス（２５０、３００、３５０、４００）は、流れ貯蔵器（２５２、３０２、３５０、４０２）および出口（２５８、３０８、３５８、４０８）が、絞り部分（２５６、３０６、３５６、４０６）よりも大きい領域を有するように構成されている。したがって、ブリードチャネル（２５４、３０４、３５４、４０４）を流れる流体は、圧力の変化により速度が変わる。
【００４８】
図８〜１１Ｄに示す例示的な実施形態では、絞り部分は、流れ貯蔵器と出口との間に配置されている。あるいは、絞り部分の位置は、ショックアブソーバの制振特性を制御するために調整することができる。例えば、図１２Ａ〜１２Ｂは、オリフィス５００およびオリフィス５５０を示している。オリフィス５００および５５０は、実質的にブリードディスク９０の外径部２１２に配置された絞り部分５０８を有する。特に、オリフィス５００は、流れ貯蔵器５０２およびブリードチャネル５０４を含む。流れ貯蔵器５０２は、ブリードディスク９０の内径部２１０に接近して配置され、絞り部分５０８まで延びている。
【００４９】
ブリードチャネル５０４は、入り口部分５０６および絞り部分５０８を含む。入り口部分５０６は、流れ貯蔵器５０２と共に、絞り部分５０８に向かう先細りの流路を形成している。絞り部分５０８は、ブリードディスク９０の外径部２１２に配置されている。特に、流体貯蔵器５０２からの流体は、絞り部分５０８を流れて、ブリードディスク９０から流れ出る。流体は、ブリードディスク９０から流れ出る前に、オリフィスの出口に流入しない。その代わりに、流体は、ブリードディスク９０から直接流れ出る。
【００５０】
図１２Ｂのオリフィス５５０は、流れ貯蔵器５５２と、外径部２１２に絞り部分５５６を備えたブリードチャネル５５４とを有するオリフィスの別の例を示している。流れ貯蔵器５５２は、流れ貯蔵器５０２よりも幅の大きい涙滴形状を有し、絞り部分５５６は、絞り部分５０８よりも大きい幅を有する。
【００５１】
オリフィス２００と同様に、オリフィス５００および５５０は、領域が変化する輪郭を有する。具体的には、流れ貯蔵器５０２、５５２は、絞り部分５０８、５５６よりも大きい領域を有する。さらに、流れ貯蔵器５０２、５５２の領域は、ブリードディスク９０の内径部２１０に最も接近した領域が、ブリードディスク９０の外径部２１２に最も接近した領域よりも大きいように変わる。したがって、流体が流れ貯蔵器５０２、５５２からブリードチャネル５０４、５５４に流入すると、流体の圧力は、領域の縮小により高くなる。したがって、絞り部分５０８、５５６に流入した流体の速度は落ちる。さらに、流体が絞り部分５０８、５５６から流れ出ると、流体の圧力は低くなり、それにより、流体の速度が上がる。特に、流体は、高圧の領域（すなわち、絞り部分５０８、５５６）から低圧の領域（すなわち、ブリードディスク９０の外）に流れる。絞り部分５０８、５５６で生じた圧力は流体を押し出す。
【００５２】
図１３は、同様に、領域が変化する輪郭を有するオリフィス６００を示している。オリフィス６００は、流れ貯蔵器６０２およびブリードチャネル６０４を有する。ブリードチャネル６０４は、絞り部分６０８を形成する幅６０６を有する。絞り部分６０８は、ブリードディスク９０の外径部２１２まで延びる長さ６１０を有する。
【００５３】
流れ貯蔵器６０２は、絞り部分６０８よりも大きい幅および領域を有する。したがって、流体が、流れ貯蔵器６０２からブリードチャネル６０４に流入すると、流体の圧力は、領域の縮小により高くなる。したがって、絞り部分６０８に流入した流体の速度は落ちる。さらに、流体が絞り部分６０８から流出する、または流れ出ると、流体の圧力は低くなり、それにより、流体の速度を上げることができる。特に、流体は、高圧の領域（すなわち、絞り部分６０８）から低圧の領域（すなわち、ブリードディスク９０の外）に流れる。一方、絞り部分６０８の長さ６１０は、絞り部分２１４の長さ２１８よりも長い。長さがより長い場合、絞り部分６０８を流れる流体の温度も上がることができる。したがって、流体の粘度が変わる。粘度の変化により圧力が変わり、これは、低ピストン速度時に、ショックアブソーバの制振特性に影響を及ぼす。したがって、オリフィス６００は変化する領域を有するが、オリフィスを通る流動流体を制御または制限する絞り部分の長さを最小限にすることが好ましい。
【００５４】
実施形態の前述の説明は、例示および説明するために提示された。実施形態は、網羅的であることを意図されておらず、または本開示を限定することも意図されていない。特定の実施形態の個々の要素または特徴部は、通常、その特定の実施形態に限定されず、具体的に図示または説明していなくても、適用可能な場合に、選択された実施形態において交換可能であり、使用することができる。同一のものを様々な方法で変えることもできる。そのような変形形態は、本開示からの逸脱とみなすべきではなく、そのような修正形態のすべては、本開示の範囲内に含まれることを意図されている。
【００５５】
例示的な実施形態は、本開示が完全であるように提示され、当業者にその範囲を十分に伝えるであろう。本開示の実施形態を完全に理解させるために、特定の構成要素、装置、および方法の例などの様々な特定の細部が説明された。特定の細部は使用される必要がなく、例示的な実施形態は多数の異なる形態で具現化でき、どれも本開示の範囲を限定すると解釈すべきでないことが当業者には明らかであろう。一部の例示的な実施形態では、公知のプロセス、公知の装置構造、および公知の技術が詳細に説明されていない。
【００５６】
本明細書で使用した用語は、特定の例示的な実施形態を説明することのみを目的とし、限定することを意図されていない。本明細書では、単数形「１つの（ａ）」、「１つの（ａｎ）」および「その（ｔｈｅ）」は、文脈が別途明示しない限り、さらに複数形を含むことを意図することができる。「含む（ｃｏｍｐｒｉｓｅｓ）」、「含むこと（ｃｏｍｐｒｉｓｉｎｇ）」、「含むこと（ｉｎｃｌｕｄｉｎｇ）」および「有すること（ｈａｖｉｎｇ）」という用語は包括的であり、したがって、決まった特徴部、要素、および／または構成要素の存在を明示するが、１つまたは複数の他の特徴部、要素、構成要素、および／またはそれらのグループの存在または追加を排除しない。
【００５７】
要素または層が、他の要素または層に「載っている」、「係合している」、「連結されている」、または「接続されている」と言い表される場合に、要素または層は、他の要素または層に直接載ること、係合すること、連結されること、または接続されることが可能であり、あるいは介在する要素または層が存在してもよい。対照的に、要素が、他の要素または層に「直接載っている」、「直接係合している」、「直接連結されている」、または「直接接続されている」と言い表される場合に、介在する要素または層は存在することができない。要素間の関係を説明する他の文言も、同様に解釈されるべきである（例えば、「〜の間に」対「〜の間に直接」、「隣接する」対「直接隣接する」など）。本明細書では、「および／または」という用語は、１つまたは複数の関連列挙物品の任意およびすべての組み合わせを含む。
【００５８】
第１の、第２の、第３のなどの用語は、様々な要素、構成要素、領域、層、および／または部分を説明するために、本明細書で使用することができるが、これらの要素、構成要素、領域、層、および／または部分は、これらの用語によって限定されるべきではない。これらの用語は、１つの要素、構成要素、領域、層、または部分を他の領域または部分から区別するためだけに使用することができる。「第１の」、「第２の」などの用語、および他の数字用語は、本明細書で使用する場合、文脈によって明示されない限り、シーケンス、または順序を意味するものではない。したがって、下記に説明する第１の要素、構成要素、領域、層、または部分は、例示的な実施形態の教示から逸脱することなく、第２の要素、構成要素、領域、層、または部分と称することができる。
【００５９】
「内側」、「外側」、「〜の真下」、「〜の下」、「下側」、「〜の上」、「上側」などの空間的相対用語は、図に示すように、１つの要素または特徴部の他の要素または特徴部に対する関係を説明するための記述を容易にするために、本明細書で使用することができる。空間的相対用語は、図に示された向きに加えて、使用時または動作時の装置の様々な向きを包含することを意図することができる。例えば、図の装置が反転した場合、他の要素または特徴部の「下」またはの「真下」として記載された要素は、他の要素または特徴部の「上」の位置に置かれる。したがって、「〜の下」という例示的用語は、上と下の両方の向きを包含することができる。装置は、それ以外に向けることができ（９０°または他の向きに回転される）、本明細書で使用した空間的相対記述子は相応に解釈される。
【図１】
2016518572.tif 000003
【図２】
2016518572.tif 000004
【図３Ａ】
2016518572.tif 000005
【図３Ｂ】
2016518572.tif 000006
【図４】
2016518572.tif 000007
【図５】
2016518572.tif 000008
【図６】
2016518572.tif 000009
【図７】
2016518572.tif 000010
【図８】
2016518572.tif 000011
【図９】
2016518572.tif 000012
【図１０Ａ】
2016518572.tif 000013
【図１０Ｂ】
2016518572.tif 000014
【図１１Ａ】
2016518572.tif 000015
【図１１Ｂ】
2016518572.tif 000016
【図１１Ｃ】
2016518572.tif 000017
【図１１Ｄ】
2016518572.tif 000018
【図１２Ａ】
2016518572.tif 000019
【図１２Ｂ】
2016518572.tif 000020
【図１３】
2016518572.tif 000021
【国際調査報告】
2016518572.tif 000022
2016518572.tif 000023